(57)【要約】【課題】本発明は縦勝ちの窓枠であるにも拘わらず同幅の枠部材を用いることができるようにして品揃えを豊富にすることができ、組み立て施工においてもある程度ラフに施工することが可能とする窓枠用接合部材を提供することをその課題とする。【解決手段】窓枠用接合部材Ａは、面取りされた縦枠２と、縦枠２と同じ縦断面の横枠１とが縦勝ちで組み立てられる窓枠に用いられる部材である。側板部１１は横枠１の縦断面形状と同一である。上面被覆片１２は側板部１１の上縁から一体的に延出され、横枠１の上面１ｂを覆う。室内側面被覆片１６は側板部１１の室内側縁から一体的に延出され、横枠１の室内側面１ｃおよび縦枠２の縦枠面取り面２ｄを覆う。接合部面取り面被覆片１４は側板部１１の上縁と傾斜縁１４ｋから一体的に延出され、横枠１の面取り面１ｄと縦枠２の縦枠面取り面２ｄとを覆う。【選択図】        図２
2016169507.tif 000002
【特許請求の範囲】
【請求項１】
面取りされた縦枠と、縦枠と同じ縦断面の横枠とが縦勝ちで組み立てられる窓枠に用いられる窓枠用接合部材であって、
縦枠の端部の内側面と、該内側面に突き合わせて接合される横枠の木口の間に設置され、横枠の下面から上面に至る横枠の高さに一致し、横枠の室内側面から反対側のサッシ側面までの幅と同一又はそれを越える幅を有し、室内側面と上面との間に横枠の横枠面取り面に沿う傾斜縁を有する側板部と、
側板部の上縁から一体的に延出され、横枠の上面を覆う上面被覆片と、
側板部の室内側縁から一体的に延出され、横枠の室内側面および縦枠の縦枠面取り面を覆う室内側面被覆片と、
側板部の上縁と室内側縁の間に位置する傾斜縁から一体的に延出され、前記上面被覆片と室内側面被覆片との間にて、横枠の上面と室内側面との間の面取り面と縦枠の縦枠面取り面とを覆う接合部面取り面被覆片とで構成されていることを特徴とする窓枠用接合部材。
【請求項２】
側板部の上縁から一体的に立設され、縦枠の内側面を覆う内側面被覆片と、
内側面被覆片と接合部面取り面被覆片とに接続し、縦枠の縦枠面取り面に沿って延出された縦枠面取り面被覆片が更に設けられていることを特徴とする請求項１に記載の窓枠用接合部材。
【請求項３】
側板部の下縁から縦枠側に一体的に延出され、縦枠の木口を覆う木口被覆片が更に設けられていることを特徴とする請求項１又は２の窓枠用接合部材。
【請求項４】
側板部の幅が横枠の幅より大である場合において、側板部に高さ方向の切断用のラインが形成されていることを特徴とする請求項１〜３のいずれかに記載の窓枠用接合部材。
【請求項５】
左右一対の縦枠と、該縦枠と同幅で縦枠の上下端部間に配設された横枠と、縦枠と横枠の接合部分に配設された請求項１又は３又は４の窓枠用接合部材とで構成された特徴とする縦勝ち構造の窓枠。
【請求項６】
左右一対の縦枠と、該縦枠と同幅で縦枠の上下端部間に配設された横枠と、縦枠と横枠の接合部分に配設された請求項２又は３又は４の窓枠用接合部材とで構成された特徴とする縦勝ち構造の窓枠。
【発明の詳細な説明】
【技術分野】
【０００１】
本発明は、面取りした同幅の窓枠部材を用いて縦勝ちで組み立てられた窓枠のコーナー部分を外観よく仕上げるための窓枠接合部材並びに該部材を用いた窓枠に関する。
【背景技術】
【０００２】
従来から窓枠部材として様々なものが提供されている。その一つとして特許文献１に示すような窓枠がある。この窓枠は、木質材料からなる４５°カットの木材端部同士を突き合わせた状態で弾性を有する接合金具を用いて接合するねじ不要の接合構造であって、各枠材には突き合わせ端部から任意の間隔を置いた地点において、該端部側の溝側面が溝底部に向けて徐々に該端部に近づく傾斜面とされた幅方向溝が形成され、接合金具は角部を介して一対のアーム部を有しかつ各アームの先端には鋭角に折り曲げ形成された当接部を有しており、接合金具のアーム部を各枠材の外面に沿わせ、且つ、当接部を各枠材の幅方向溝に嵌合させた状態で接合金具が枠材に係止した構造となっている。
【０００３】
この窓枠では、接合端部を熟練が要求される４５°カットして接合する留め加工と、特殊な接合金具の取り付け固定用の特殊加工をしてから枠組みするようになっているが、突き合せ端部を接着固定するものでないため突き合わせ面の誤差を吸収することができず、突き合わせ面の隙間が見え、外観を損なうばかりか枠裏面に特別な加工が必要となっていた。
【先行技術文献】
【特許文献】
【０００４】
【特許文献１】特許３３１５９５８号公報
【発明の概要】
【発明が解決しようとする課題】
【０００５】
これに対して現場での加工を極力省略することができる縦勝ちのジャストカット窓枠が提案された。この窓枠部材は室内側の角部は面取りされている。そのため縦枠２と横枠１とを同幅の部材とすると、図１２のように縦枠２の端部と、この部分に接合される横枠１の木口１ａとの間に、縦枠２の面取り面２ｄが原因でこの部分にレ形の隙間３がどうしても発生してしまう。そこで、このレ形の隙間３の発生を避けるため、図１３のように、ジャストカット窓枠では、縦枠２の面取り分だけ控えた幅の狭い横枠１を用いざるを得なかった。
【０００６】
即ち、縦枠２と横枠１とが異なる幅の材料で構成されることになる。このことは、窓枠部材の構成部材の種類が増えることになり、それだけ品揃えが困難になる。また、縦勝ちの窓枠の場合でも、縦枠２と横枠１の接合部分は室内側から見えるため、留め加工よりは精度を必要としないもののやはり入念且つ正確に施工しないと隙間を生じやすくて外観を損ないやすい。
【０００７】
また、縦勝ちの窓枠では縦枠２の下面（及び上面）が木口２ａになるため、現場でこの部分に化粧シート５を貼り付ける必要があった。
【０００８】
本発明はこのような従来例の問題点に鑑みてなされたもので、縦勝ちの窓枠であるにも拘わらず同幅の枠部材を用いることができるようにして品揃えを豊富にすることができ、組み立て施工においてもある程度ラフに施工することが可能とする窓枠用接合部材を提供することをその課題とする。更には、化粧シートの貼り付けも省略でき、簡便施工が可能な窓枠用接合部材を提供することを第２の課題とし、この窓枠用接合部材を用いることによって豊富に品揃えできる窓枠を提供することを第３の課題とするにある。
【課題を解決するための手段】
【０００９】
請求項１は、面取りされた縦枠２と、縦枠２と同じ縦断面の横枠１とが縦勝ちで組み立てられる窓枠に用いられる窓枠用接合部材Ａであって、
縦枠２の端部の内側面２ｂと、該内側面２ｂに突き合わせて接合される横枠１の木口１ａの間に設置され、横枠１の下面１ｅから上面１ｂに至る横枠１の高さＨに一致し、横枠１の室内側面１ｃから反対側のサッシ側面１ｆまでの幅Ｗと同一又はそれを越える幅を有し、室内側面１ｃと上面１ｂとの間に横枠１の横枠面取り面１ｄに沿う傾斜縁１４ｋを有する側板部１１と（即ち、横枠１の縦断面形状と同一か、高さＨが同じで幅Ｗが大）、
側板部１１の上縁から一体的に延出され、横枠１の上面１ｂを覆う上面被覆片１２と、
側板部１１の室内側縁から一体的に延出され、横枠１の室内側面１ｃおよび縦枠２の縦枠面取り面２ｄを覆う室内側面被覆片１６と、
側板部１１の上縁と室内側縁の間に位置する傾斜縁１４ｋから一体的に延出され、前記上面被覆片１２と室内側面被覆片１６との間にて、横枠１の上面１ｂと室内側面１ｃとの間の面取り面１ｄと縦枠２の縦枠面取り面２ｄとを覆う接合部面取り面被覆片１４とで構成されていることを特徴とする。
【００１０】
請求項２は、請求項１の窓枠用接合部材Ａにおいて、側板部１１の上縁から一体的に立設され、縦枠２の内側面２ｂを覆う内側面被覆片１３と、
内側面被覆片１３と接合部面取り面被覆片１４とに接続し、縦枠２の縦枠面取り面２ｄに沿って延出された縦枠面取り面被覆片１５が更に設けられていることを特徴とする。
【００１１】
請求項３は、請求項１又は２の窓枠用接合部材Ａにおいて、側板部１１の下縁から縦枠２側に一体的に延出され、縦枠２の木口２ａを覆う木口被覆片１７ｂが更に設けられていることを特徴とする。
【００１２】
請求項４は、請求項１〜３のいずれかに記載の窓枠用接合部材Ａにおいて、側板部１１の幅が横枠１の幅Ｗより大である場合において、側板部１１に高さＨ方向の切断用のライン１９が形成されていることを特徴とする。
【００１３】
請求項５は窓枠に関し、左右一対の縦枠２と、該縦枠２と同幅Ｗで縦枠２の上下端部間に配設された横枠１と、縦枠２と横枠１の接合部分に配設された請求項１又は３又は４の窓枠用接合部材Ａ１とで構成された特徴とする。
【００１４】
請求項６は窓枠に関し、左右一対の縦枠２と、該縦枠２と同幅Ｗで縦枠２の上下端部間に配設された横枠１と、縦枠２と横枠１の接合部分に配設された請求項２又は３又は４の窓枠用接合部材Ａ２とで構成された特徴とする。
【発明の効果】
【００１５】
本発明の窓枠用接合部材Ａにあっては、側板部１１が横枠１の縦断面形状と同一形状を持ち、側板部１１の各縁から縦枠２と横枠１の接合部分を被覆する接合部面取り面被覆片１４及び室内側面被覆片１６を有するので、縦枠２の横枠側面取り部２ｄと横枠１の木口１ａとの間に発生するレ形の隙間３が閉塞されることになって外部から見えず、縦枠２と横枠１を同じ縦断面形状の部材を縦勝ちで用いることができる。そして、縦枠２と横枠１とをこのように同じ部材とすることができるため、縦枠用や横枠用にと分ける必要がなく、部材の種類を減らすことが出来、その結果、窓枠の品揃えを増やすことができる。
【００１６】
そして、第１実施例Ａ１では、上面被覆片１２及び接合部面取り面被覆片１４、室内側面被覆片１６を有するので、仮に、縦枠２の内側面２ｂと横枠１の木口１ａとの間に隙間が生じたとしても、これらで覆われることになり、生じた隙間が隠され、ラフ施工でもきれいに収まることになる。第２実施例Ａ２では、更には内側面被覆片１３と縦枠面取り面被覆片１５が付加されているので、縦枠２の接合部分が面で被覆されることになり、ラフ施工でもよりきれいに収まることになる。
【００１７】
また、縦枠２の木口２ａを、木口被覆片１７ｂで隠すようになっているので、本窓枠用接合部材Ａを取り付ければ自動的に縦枠２の木口２ａがカバーされ、従来のような化粧シートを別途貼着する手間が省ける。
【００１８】
なお、窓枠部材（横・縦枠１，２）の少なくとも１つの角が大きく面取りがされ、この面取り部分が室内側内周角部に配置されるので、縦勝ちで組み立てると上記のように両者の接合部分で縦枠面取り面２ｄによるレ状の隙間が必然的に発生するため、横枠１の木口１ａの一部がレ状の隙間から露出し、前述のようにジャストカット窓枠では同一縦断面形状の部材を横・縦枠１，２に使用できなかったが、この窓枠用接合部材Ａを使用することでこれが可能となり、その結果、このような部材によるジャストカット窓枠の品揃えが容易になる。換言すれば、この窓枠接合部材Ａを採用することで面取りされた同幅の横・縦枠１，２を窓枠部材として使用でき、構成部材の種類を減らすことが出来、その分色・柄の種類を増やすなど豊富な品揃えが可能となった。
【００１９】
切断用のライン１９を側板部１１に設けておけば、仮に、側板部１１の幅が横枠１の幅Ｗより大きいとしても、或いは、後述する「アングルしゃくりあり」の部材を使用した場合でも、現場合わせで側板部１１の幅Ｗや窓サッシ４の位置に合わせて側板部１１の幅を短く出来る。なお、切断側はサッシ側に組み込まれるため、外部から見えない。
【図面の簡単な説明】
【００２０】
【図１】本発明の第１実施例の斜視図である。
【図２】図１の窓枠用接合部材を使用した場合の施工状態の要部斜視図である。
【図３】図１の窓枠用接合部材の右側面図である。
【図４】図１の窓枠用接合部材の左側面図である。
【図５】図１の窓枠用接合部材の平面図である。
【図６】図１の窓枠用接合部材の底面図である。
【図７】図１の窓枠用接合部材の正面図である。
【図８】図１の窓枠用接合部材を使用した場合の施工状態の底面側からの要部斜視図である。
【図９】本発明の第２実施例の斜視図である。
【図１０】図９の窓枠用接合部材を使用した場合の施工状態の要部斜視図である。
【図１１】図９の窓枠用接合部材を使用した場合の施工状態の底面側からの要部斜視図である。
【図１２】同幅の窓枠材を縦勝ちで組み上げた時の窓枠の一部斜視図である。
【図１３】異なる幅の窓枠材を縦勝ちで組み上げた時の窓枠の一部斜視図である。
【発明を実施するための形態】
【００２１】
以下、本発明の第１実施例について添付図面を参照して説明する。図１〜８は発明にかかる窓枠用接合部材Ａの第１実施例Ａ１で、図９〜１１は第２実施例である。第１実施例は側板部１１、上面被覆片１２、接合部面取り面被覆片１４、室内側面被覆片１６、横枠下面被覆片１７ａ及び木口被覆片１７ｂで構成され、第２実施例Ａ２はこれに内側面被覆片１３及び縦枠面取り面被覆片１５が付加されている。なお、縦枠２と横枠１の接合部分を隠すためだけの場合は木口被覆片１７ｂはなくともよいが、簡易施工のためには木口被覆片１７ｂを設けておくことが好ましい。ここではいずれの実施例Ａ１，Ａ２でも木口被覆片１７ｂが設けられている場合とする。以下、まず、第１実施例について説明し、第２実施例については煩雑を避けるため同じ部分について第１実施例と同じ番号を附してその説明を省略し、主として第１実施例と異なる部分のみを説明する。
【００２２】
本発明の窓枠用接合部材Ａが適用される窓枠は、縦枠２の縦断面形状と横枠１の縦断面形状が同一、即ち、同じ部材が縦枠２と横枠１に使用され、上下に配置された横枠１の両端の木口１ａに縦枠２の上下両端の内側面２ｂが配置され、縦勝ちで組み立てられるような窓枠である。従って、窓枠の四隅には対称形状の２対の窓枠用接合部材Ａが使用される。なお、この窓枠には組み立てた状態でサッシ側の内周面に窓枠サッシ５に合わせてサッシ厚だけ切落部を設けた「アングルしゃくりあり」（図示せず）と、切落部を設けず、内周面にそのまま窓枠サッシ５を設ける「アングルしゃくりなし」とがある。本実施例図は「アングルしゃくりなし」の例である。
【００２３】
図２及び図１０は窓枠用接合部材Ａによる縦枠２の下端部分と横枠１の端部との接合状態を示す室内側から見た拡大斜視図であるが、他の部分も同じ或いは対称形であるので省略した。なお、横枠１及び縦枠２は、少なくともその１つの長尺エッジ（角部）がこれら枠部材の全長にわたって大きく面取りされている。そしてこの面取り面が横枠１及び縦枠２を縦勝ちで組み上げた時、この面取り面（この部分を図２において横枠面取り面１ｄ及び縦枠面取り面２ｄで示す。）が窓枠の室内側内周縁に位置するように組み立てられる。
【００２４】
一般に縦枠２と横枠１として用いられる枠材は、無垢の木材、合板、木質繊維板、集成材、単板積層材等の木質材料を単独あるいは任意複合したものを基材とし、少なくとも、枠材として用いられて躯体に施工されたときに目に触れる部分には、天然木材を切削して得られる天然突板、人工突板、それらの裏面に不織布、紙、合成樹脂シート、ガラスシート等の裏打ち材を裏打ちした突板シート、化粧紙、化粧合成樹脂シート等の化粧シート状物が貼着されたり、あるいは着色塗装がなされることによって表面化粧が施される。これらの表面にさらに塗装または上塗り層を設けてもよい。
【００２５】
窓枠用接合部材Ａは全体が樹脂製で、その側板部１１は、薄い板状部材で側板部１１の形状は、横枠１の下面１ｅから上面１ｂに至る横枠１の高さＨに一致し、横枠１の室内側面１ｃから反対側のサッシ側面１ｆまでの幅Ｗと同一又はそれを越える幅を有し、室内側面１ｃと上面１ｂとの間に横枠１の横枠面取り面１ｄに一致して沿う傾斜縁１４ｋを有する。換言すれば、側板部１１の形状は横枠１の縦断面形状と同一か、高さＨが同じで幅Ｗが大のいずれかである。この窓枠用接合部材Ａは縦枠２や横枠１と同時梱包され、現場での切断加工などがないように、通常は、横枠１の縦断面形状に一致するように形成されているが、上記のように「アングルしゃくりあり」の窓枠では縦・横枠２，１のサッシ側内周面に段状に切落された「しゃくり」に窓枠サッシ５が装着されるため、この部分に装着されたサッシ４を避ける必要があってサッシ４に合わせて切断ライン１９を目安に切断されることになる。なお、ここでは「アングルしゃくりなし」の窓枠を中心に説明する。
【００２６】
そして、この側板部１１には、縦枠２、横枠１を固定する木ネジ２０（或いはビス）を挿通するための通孔１８が必要個数穿設され、上記の用（切断）に適用されるため、側板部１１の短辺に平行にて複数本の切断用のライン１９が側板部１１のサッシ側端部に設けられている。この切断ライン１９は、広狭複数種類の横枠１（及び縦枠２）の幅Ｗに合わせて設けられている。切断ライン１９は単なる線でもよいし、縦溝でもよい。側板部１１に設けられた上側の切断ライン１９は長く、下側の切断ライン１９は短く、両者は繋がっていない。なお、図３，４では横枠１の縦断面形状を２点鎖線で示している。横枠１の断面形状と側板部１１の外形線と重なり合うので、ここでは便宜上、横枠１の縦断面形状を２点鎖線を側板部１１の外形線より一回り小さく描いている。切断ライン１９を設けておくことで、側板部１１をカッターナイフなどにより真っ直ぐに切断することが可能となる。
【００２７】
上面被覆片１２は、側板部１１の上縁から側板部１１に対して直角方向にて片側に一体的に延出される狭い板状片である。上縁全長に亘って設けられる。
【００２８】
室内側面被覆片１６は、側板部１１の室内側縁から側板部１１に対して直角方向にて両側に一体的に延出される狭い板状片である。室内側縁全長に亘って設けられる。
【００２９】
傾斜している接合部面取り面被覆片１４は、側板部１１の上縁と室内側縁の間に位置する傾斜縁１４ｋから側板部１１に対して直角方向にて両側に一体的に延出される狭い板状片である。傾斜縁１４ｋ全長に亘って設けられる。接合部面取り面被覆片１４の縦枠側縁は、縦枠２の縦枠面取り面２ｄに沿うように傾斜している。
【００３０】
木口被覆片１７ｂは、側板部１１の下縁から縦枠２側（上面被覆片１２の反対側）に一体的に延出された長方形の板状片である。木口被覆片１７ｂの大きさは窓枠が壁面２０に設置された時、縦枠２の下面（木口２ａ）で室内側に露出する部分全面を覆う広さに形成されている。また、木口被覆片１７ｂの反対側には木口被覆片１７ｂの長さに等しい長さで横枠下面被覆片１７ａが一体的に延出されている。横枠下面被覆片１７ａの延出幅は上面被覆片１ｂと同じで、接合部面取り面被覆片１４及び室内側面被覆片１６の横枠方向への延出幅も同じ幅で、これらの延出端は同面に形成されている。これにより側板部１１の横枠１の木口１ａに装着される面には、上面被覆片１２、接合部面取り面被覆片１４並びに室内側面被覆片１６の横枠１側への延出部分、及び、横枠下面被覆片１７ａとで凹部Ｇが形成されている。
【００３１】
次に、窓枠の組み立ての一例に付いて説明する。梱包から２本の横枠１を取り出し、横枠１の両端の木口１ａに上面被覆片１２側から左右対称の窓枠部材接合部材Ａを前述の凹部Ｇにそれぞれ嵌める。側板部１１と横枠１の縦断面形状は同一なので、凹部Ｇの上部を形成する上面被覆片１２は横枠１の上面１ｂにぴったりと隙間なく接する。同様に接合部面取り面被覆片１４の上面被覆片１２側の延出部分は横枠１の室内側面１ｃにぴったりと隙間なく接し、接合部面取り面被覆片１４の上面被覆片１２側の延出部分及び横枠下面被覆片１７ａも同様横枠１の横枠面取り面１ｄと下面１ｅにぴったりと隙間なく接する。
【００３２】
次に窓枠用接合部材Ａの側板部１１を介して縦枠２の内側面２ｂを横枠１の木口１ａに接するように配置し、縦枠２の木口１ａを木口被覆片１７ｂに接するように配置する。この状態で縦枠２の外側面２ｅから木ネジ３０をネジ込む。木ネジ３０は側板部１１の通孔１８を通して横枠１の木口２ａに螺入され、両者が縦勝ちで強固に接合される。この時、接合部面取り面被覆片１４の傾斜している外縁は縦枠２の縦枠面取り面２ｄに隙間なく接し、室内側面被覆片１６は縦枠２の室内側面２ｃと縦枠面取り面２ｄの境界の稜線に隙間なく接し、接合部面取り面被覆片１４と室内側面被覆片１６の縦枠２側の延出部分で縦枠面取り面２ｄの端部が隠される。このような組み立てが四隅で行われ、縦勝ちの窓枠が組み上がる。
【００３３】
これを壁面の窓用開口に嵌め、最後に窓枠のサッシ側内周面に窓枠サッシ５を取り付ける。この場合、窓枠用接合部材Ａの上面被覆片１２は下側の横枠１の上面１ｂ（上側の横枠では下面）を被覆しているので、窓枠サッシ５は上面被覆片１２の上（上側の横枠では下）から重ねて取り付けられる。窓枠サッシ５と横枠１との間の隙間は後工程でコーキングされる。
なお、図示していないが、「アングルしゃくりあり」の窓枠の場合、しゃくり部分に窓枠サッシ５が嵌め込まれるため、窓枠サッシ５に合わせて窓枠用接合部材Ａのサッシ側端部が切断される。
【００３４】
次に、第２実施例である窓枠用接合部材Ａ２に付いて説明する。この場合は第１実施例の窓枠用接合部材Ａ１に対して、内側面被覆片１３と縦枠面取り面被覆片１５とが更に設けられている場合である。内側面被覆片１３は、側板部１１の上縁からその全長に面一にて一体的に立設されている。そして、縦枠面取り面被覆片１５は内側面被覆片１３と接合部面取り面被覆片１４とに連続し、縦枠２の縦枠面取り面２ｄに沿って延出されている。換言すれば、接合部面取り面被覆片１４の傾斜外縁から立設されている。これによって縦枠２の内側面２ｂと縦枠面取り面２ｄの窓枠用接合部材Ａ２の近傍部分が面状に被覆される。そして窓枠サッシ５を組み込むと、窓枠サッシ５は上面被覆片１２と内面側被覆片１３に重ねて施工される。それ以外の点は第１実施例Ａ１と同じである。
【符号の説明】
【００３５】
Ａ：窓枠用接合部材、Ａ１：第１実施例、Ａ２：第２実施例、Ｇ：凹部、Ｈ：横枠の高さ、Ｗ：横枠の幅、１：横枠、１ａ：木口、１ｂ：上面、１ｃ：室内側面、１ｄ：横枠面取り面、１ｅ：下面、１ｆ：サッシ側面、２：縦枠、２ａ：木口、２ｂ：内側面、２ｃ：室内側面、２ｅ：外側面、２ｄ：縦枠面取り面、３：レ形の隙間、４：化粧シート、５：窓枠サッシ、１１：側板部、１２：上面被覆片、１３：内側面被覆片、１４：接合部面取り面被覆片、１４ｋ：傾斜縁、１５：縦枠面取り面被覆片、１６：室内側面被覆片、１７ａ：横枠下面被覆片、１７ｂ：木口被覆片、１８：通孔、１９：切断ライン、２０：壁面。
【図１】
2016169507.tif 000003
【図２】
2016169507.tif 000004
【図３】
2016169507.tif 000005
【図４】
2016169507.tif 000006
【図５】
2016169507.tif 000007
【図６】
2016169507.tif 000008
【図７】
2016169507.tif 000009
【図８】
2016169507.tif 000010
【図９】
2016169507.tif 000011
【図１０】
2016169507.tif 000012
【図１１】
2016169507.tif 000013
【図１２】
2016169507.tif 000014
【図１３】
2016169507.tif 000015